(57)【要約】【課題】検出された燐光が、同一の波長範囲内であって互いに減衰時定数が異なる複数種類の燐光によるものであるか否かを判別する。【解決手段】燐光検出装置は、燐光体を含む検出対象Ｔに励起光を照射する光源３０と、前記検出対象Ｔから放射される燐光の強度を検出する光検出器４０と、前記光源３０及び前記光検出器４０を制御し、前記励起光の照射の停止時以降に、前記強度を検出時期を変えて少なくとも３回検出する検出部９２と、前記検出部９２によって検出された少なくとも３つの前記強度及びそれらの検出時期に基づいて、前記燐光が互いに減衰時定数が異なる複数種類の燐光によるものであるか否かを判別する判別部９４と、を備える。【選択図】図２
2018163567.tif 000002
【特許請求の範囲】
【請求項１】
燐光体を含む検出対象に励起光を照射する光源と、
前記検出対象から放射される燐光の強度を検出する光検出器と、
前記光源及び前記光検出器を制御し、前記励起光の照射の停止時以降に、前記強度を検出時期を変えて少なくとも３回検出する検出部と、
前記検出部によって検出された少なくとも３つの前記強度及びそれらの検出時期に基づいて、前記燐光が互いに減衰時定数が異なる複数種類の燐光によるものであるか否かを判別する判別部と、
を備える燐光検出装置。
【請求項２】
前記判別部は、少なくとも３つの前記強度のうちの２つに基づいて前記燐光の減衰時定数を算出するとともに、当該算出に用いられなかった前記強度及びその検出時期が、算出された前記減衰時定数で表される燐光強度と検出時期の関係に当てはまらない場合に、前記燐光が互いに減衰時定数が異なる複数種類の燐光によるものであると判別する、請求項１記載の燐光検出装置。
【請求項３】
前記判別部は、少なくとも３つの前記強度のうちの２つの組み合わせである第１の組み合わせに基づいて前記燐光の第１の減衰時定数を算出するとともに、少なくとも３つの前記強度のうちの２つの組み合わせであって前記第１の組み合わせとは異なる第２の組み合わせに基づいて前記燐光の第２の減衰時定数を算出し、前記第１の減衰時定数と前記第２の減衰時定数との差が閾値を超える場合に、前記燐光が互いに減衰時定数が異なる複数種類の燐光によるものであると判別する、請求項１記載の燐光検出装置。
【請求項４】
前記判別部は、少なくとも３つの前記強度のうちの２つの組み合わせである第１の組み合わせに基づいて前記強度の対数値の第１の変化速度を算出するとともに、少なくとも３つの前記強度のうちの２つの組み合わせであって前記第１の組み合わせとは異なる第２の組み合わせに基づいて前記強度の対数値の第２の変化速度を算出し、前記第１の変化速度と前記第２の変化速度との差が閾値を超える場合に、前記燐光が互いに減衰時定数が異なる複数種類の燐光によるものであると判別する、請求項１記載の燐光検出装置。
【請求項５】
前記判別部は、前記燐光が互いに減衰時定数が異なる複数種類の燐光によるものか否かを特徴の１つとして、前記検出対象の真偽を判別する請求項１乃至４のいずれかに記載の燐光検出装置。
【請求項６】
請求項１乃至５のいずれかに記載の燐光検出装置を備える紙葉類処理装置。
【請求項７】
燐光体を含む検出対象に励起光を照射する工程と、
前記励起光の照射の停止時以降に、前記検出対象から放射される燐光の強度を検出時期を変えて少なくとも３回検出する工程と、
検出された少なくとも３つの前記強度及びそれらの検出時期に基づいて、前記燐光が互いに減衰時定数が異なる複数種類の燐光によるものであるか否かを判別する工程と、を有する燐光検出方法。
【発明の詳細な説明】
【技術分野】
【０００１】
本発明は、励起光によって励起された検出対象から放射される燐光を検出する燐光検出装置、当該燐光検出装置を備える紙葉類処理装置及び燐光検出方法に関する。
【背景技術】
【０００２】
従来、紙幣や文書等の紙葉類、商品等の真偽を識別するために所定の光学特性を有するセキュリティマークが利用されている。例えば、可視光下では燐光を放射せず、紫外線等の所定波長の光が照射された場合にのみ燐光を放射する燐光体を含むセキュリティマークを紙葉類や商品パッケージ上に印刷等によって付しておき、燐光の放射状態から紙葉類や商品等の真偽を判別することが行われている。燐光体としては、減衰時定数が単一の物質や、互いに減衰時定数が異なる複数種類の物質を混合したものが用いられる。
【０００３】
特許文献１には、同一の波長範囲内で発光し、互いに減衰時定数が異なる２種類の色素を異なる比率で含有する２つのルミネッセンス材料を区別する装置が開示されている。この装置は、経路に沿って光検出器を多数備えることによりルミネッセンス強度プロファイルを検出し、正規化した強度プロファイルの強度値や減衰に要する時間を基準値と比較したり、あるいは、正規化した強度プロファイルの曲線形状と基準ルミネッセンス強度プロファイルの曲線形状とを比較する。これによって、２種類の色素の比率が異なるにもかかわらず、２つのルミネッセンス材料の正規化されたルミネッセンス強度プロファイルが非常に似ている場合でも、ルミネッセンス材料を認証できる。
【０００４】
特許文献２には、紙幣に励起光を照射し、放射される燐光を検出して、紙幣の真偽を検証する装置が開示されている。この装置は、２つのセンサを用いて燐光を検出し、それぞれのセンサが検出した燐光の強度の比を検証する。
【０００５】
特許文献３には、紙幣に励起光を照射し、放射される燐光を検出して、紙幣の真偽を検証する装置が開示されている。この装置は、励起光を照射して得た燐光のスペクトルのピークを検出し、検出したピークの波長ごとに減衰の特徴を検出する。
【先行技術文献】
【特許文献】
【０００６】
【特許文献１】特表２０１４−５１９１３０号公報
【特許文献２】米国特許出願公開第２０１５／３４８３５１号明細書
【特許文献３】米国特許第７２６２４２０号明細書
【発明の概要】
【発明が解決しようとする課題】
【０００７】
しかしながら、特許文献１に開示された装置は、単一の色素によるルミネッセンス材料か減衰時定数が異なる複数種類の色素からなるルミネッセンス材料かに関わらず、ルミネッセンス材料を区別するためには、ルミネッセンス材料毎に基準値や基準の曲線形状を予め用意する必要がある。すなわち、基準が有るルミネッセンス材料については、どのようなルミネッセンス材料かを認証できるが、基準のないルミネッセンス材料については、単一の色素によるルミネッセンス材料か複数種類の色素からなるルミネッセンス材料かを認証することが出来ない。
【０００８】
また、特許文献２に開示された装置は、２つのセンサがそれぞれ検出した燐光の強度の比を特徴として、紙幣の真偽を検証するもので、それぞれの燐光を放射したルミネッセンス材料が単一の色素によるルミネッセンス材料か減衰時定数が異なる複数種類の色素からなるルミネッセンス材料かについては、判定することが出来ない。
【０００９】
また、特許文献３に開示された装置は、検出したピークの波長ごとに減衰の特徴を検出するもので、燐光を放射したルミネッセンス材料が単一の色素によるルミネッセンス材料か燐光の色が異なる複数種類の色素からなるルミネッセンス材料かについては、ピークの数によって判定することが出来るかもしれない。しかしながら、燐光を放射したルミネッセンス材料が単一の色素によるルミネッセンス材料か、同一の波長範囲内で発光し減衰時定数の異なる複数種類の色素からなるルミネッセンス材料かについては、判別することが出来ない。
【００１０】
以上のように、特許文献１〜３に開示された装置は、いずれも、燐光を放射した燐光体が単一の色素による燐光体か、同一の波長範囲内で発光し減衰時定数の異なる複数種類の色素からなる燐光体かについては、判別することが出来ない。
【００１１】
本発明は、このような現状に鑑みてなされたものであり、検出された燐光が、同一の波長範囲内であって互いに減衰時定数が異なる複数種類の燐光によるものであるか否かを判別することを課題とする。
【課題を解決するための手段】
【００１２】
検出した燐光が単一の燐光体または減衰時定数が同じ複数の燐光体から放射された燐光なら、検出時期を変えて強度を２回検出し、燐光の強度と時間の関係式の連立方程式を解けば、燐光体の減衰時定数を求めることができる。しかし、検出した燐光が減衰時定数の異なる複数種類の燐光体から放射された燐光なら、複雑な指数関数の連立方程式を解く必要があり、複数種類の燐光体の減衰時定数を求めることは難しい。
【００１３】
一方で、セキュリティマーク等の真偽判定においては、燐光が同一の波長範囲内で発光し互いに減衰時定数が異なる複数種類の燐光によるものか否かも特徴の１つであり、これが判別できれば有用である。具体的には、検出時期を変えて燐光の強度を少なくとも３回検出すれば、検出した燐光が単一の減衰時定数を有する燐光によるものか否かが判別できる。言い換えると、検出した燐光が互いに減衰時定数が異なる複数種類の燐光によるものなのか否かが判別できる。
【００１４】
すなわち、本発明に係る燐光検出装置は、燐光体を含む検出対象に励起光を照射する光源と、前記検出対象から放射される燐光の強度を検出する光検出器と、前記光源及び前記光検出器を制御し、前記励起光の照射の停止時以降に、前記強度を検出時期を変えて少なくとも３回検出する検出部と、前記検出部によって検出された少なくとも３つの前記強度及びそれらの検出時期に基づいて、前記燐光が互いに減衰時定数が異なる複数種類の燐光によるものであるか否かを判別する判別部と、を備えることによって上記課題を解決する。
【００１５】
また、本発明に係る燐光検出方法は、燐光体を含む検出対象に励起光を照射する工程と、前記励起光の照射の停止時以降に、前記検出対象から放射される燐光の強度を検出時期を変えて少なくとも３回検出する工程と、検出された少なくとも３つの前記強度及びそれらの検出時期に基づいて、前記燐光が互いに減衰時定数が異なる複数種類の燐光によるものであるか否かを判別する工程と、を有することによって上記課題を解決する。
【発明の効果】
【００１６】
本発明によれば、検出された燐光が、同一の波長範囲内で発光し互いに減衰時定数が異なる複数種類の燐光によるものであるか否かを判別することが可能となる。
【図面の簡単な説明】
【００１７】
【図１】燐光体から放射される燐光の減衰特性を示すグラフである。
【図２】本発明に係る燐光検出装置の一実施例の構成を示すブロック図である。
【図３】光センサの構造を示す模式図である。
【図４】図３中のＩＩ−ＩＩ断面図である。
【図５】図３中のＩＩＩ−ＩＩＩ断面図である。
【図６】図３中のＩＶ−ＩＶ断面図である。
【図７】図３中のＶ−Ｖ断面図である。
【図８】本発明に係る燐光検出装置の動作フローを示すフローチャートである。
【図９】図１に示されるグラフの縦軸を対数値に変換した片対数グラフである。
【発明を実施するための形態】
【００１８】
（１）燐光の減衰特性
まず、燐光体から放射される燐光の減衰特性について簡単に説明する。
【００１９】
燐光体とは、可視光や紫外線等の励起光を受光すると励起されて燐光を放射する物質である。燐光体から放射される燐光の強度（光量）は、励起光の照射の停止時に最大値となり、その後徐々に減衰する。燐光体から放射される燐光の色と減衰時定数は、燐光体によって決まっている。なお、燐光体が異なっても、燐光の色や減衰時定数のいずれかが同じ、又は、両方が同じ場合がある。また、単一の燐光体から放射される燐光は、一種類に限られず複数種類の場合もある。以下では、説明を簡単にするため、単一の燐光体から放射される燐光は一種類として説明する。また、見かけ上の燐光の色が異なっても、光検出器で検出可能な波長範囲内にあれば、同じ波長範囲内の燐光として扱う。単一の燐光体αから放射される燐光の強度と時間の関係は数式１で表される。
【００２０】
【数１】
2018163567.tif 000003
【００２１】
数式１において、Ｐαは燐光体αから放射される燐光の強度、Ａαは燐光体αの濃度や発光効率によって決まる定数、ｔは励起光の消灯時から検出までに経過した時間、ταは燐光体αから放射される燐光の減衰時定数である。燐光強度Ｐαと時間ｔの関係は、図１に示されるＬαのような曲線となる。なお、曲線Ｌαは最大強度を１として正規化されている。
【００２２】
また、燐光体α及び燐光体βから放射される各燐光が、互いに減衰時定数が等しく、光検出器で検出可能な波長範囲内の波長を有する場合、それらの混合物から放射される燐光の強度と時間の関係は数式２で表される。
【００２３】
【数２】
2018163567.tif 000004
【００２４】
数式２において、Ｐα＋βは燐光体αと燐光体βの混合物から放射される燐光の強度、Ａα及びＡβは、それぞれ、燐光体α及び燐光体βの濃度や発光効率によって決まる定数、ｔは励起光の消灯時から検出までに経過した時間、ταは燐光体αから放射される燐光及び燐光体βから放射される燐光の減衰時定数である。燐光強度Ｐα＋βと時間ｔの関係は、最大強度を１として正規化すれば、図１に示されるＬαのような曲線となる。
【００２５】
すなわち、単一の燐光体αから放射される燐光の強度と時間の関係を示す正規化された曲線と、減衰時定数が同じ燐光体αと燐光体βの混合物から放射される燐光の強度と時間の関係を示す正規化された曲線は等しい。このような燐光の強度と時間の関係は、各燐光体から放射される燐光の減衰時定数が等しく、それらの波長が光検出器で検出可能な波長範囲内であれば、混合物を構成する燐光体が３種類以上であっても同様に成り立つ。よって、以下、本明細書では、単一の燐光体及び減衰時定数が互いに等しい複数の燐光体の混合物を代表する燐光体として、単一の燐光体αを例に挙げて説明を行う。
【００２６】
一方、互いに減衰時定数が異なる２種類の燐光体γ及び燐光体δの混合物から放射される燐光の強度と時間の関係は数式３で表される。
【００２７】
【数３】
2018163567.tif 000005
【００２８】
数式３において、Ｐγ＋δは燐光体γと燐光体δの混合物から放射される燐光の強度、Ａγ及びＡδはそれぞれ燐光体γ及び燐光体δの濃度や発光効率によって決まる定数、ｔは励起光の消灯時から検出までに経過した時間、τγ及びτδはそれぞれ燐光体γ及び燐光体δから放射される燐光の減衰時定数である。燐光強度Ｐγ＋δと時間ｔの関係は、図１に示されるＬγ＋δのような曲線となる。なお、Ｌγ＋δは最大強度を１として正規化されている。
【００２９】
以下では、上記数式１から数式３における時間ｔに関して、燐光の検出時期を時刻ｔｎとして説明する。時刻ｔｎは励起光の消灯時から検出までに経過した時間で表され、励起光の消灯時はｔ０＝０である。なお検出時期は、励起光の消灯時とは異なる時点から検出までに経過した時間や標準時でもよいが、その場合は数式は適切に修正される。
【００３０】
燐光体αから放射される燐光の強度と、燐光体γと燐光体δの混合物から放射される燐光の強度は、それらの燐光体の減衰時定数次第で、図１に示されるようにある時刻ｔｘにおいて等しくなる場合がある。そのような時刻ｔｘで燐光強度を検出しても、検出対象に含まれる燐光体が、単一の燐光体αであるのか、互いに減衰時定数が異なる燐光体γと燐光体δの混合物であるのか判別できない。例えば、真のセキュリティマークが単一の燐光体αを含んでいるとともに、時刻ｔｘで検出された燐光強度を評価することでセキュリティマークの真偽を判別している場合を考える。この場合、偽のセキュリティマークが燐光体γと燐光体δの混合物を含んでいると、セキュリティマークの真偽判定を正しく行うことができなくなってしまう。真のセキュリティマークが燐光体γと燐光体δの混合物を含んでおり、偽のセキュリティマークが単一の燐光体αを含んでいる場合も同様である。
【００３１】
しかしながら、本発明に係る燐光検出装置によれば、そのような問題は生じない。以下、図面を参照しながら、本発明に係る燐光検出装置を説明する。なお、上述のように、単一の燐光体から減衰時定数が異なる複数種類の燐光が放射される場合は、燐光体γと燐光体δの混合物から放射される燐光と同様に考えることができる。以下では、減衰時定数の異なる複数種類の燐光を放射する単一の燐光体及び互いに減衰時定数が異なる複数の燐光体の混合物を代表する燐光体として、互いに減衰時定数が異なる複数の燐光体の混合物を例に挙げて説明を行う。
【００３２】
なお、本発明において、検出された燐光が、単一の燐光体から放射された燐光であるか、複数の燐光体の混合物から放射された燐光であるかという点は、発明の一側面に過ぎない。本発明は、検出された燐光が、同一波長範囲内で発光し、単一の減衰時定数を有する燐光によるものか、同一波長範囲内で発光し、互いに減衰時定数が異なる複数種類の燐光によるものか、を判別するものである。
【００３３】
（２）燐光検出装置の構成
図２は、本発明に係る燐光検出装置１００の構成を模式的に示すブロック図である。燐光検出装置１００は、被搬送物Ｘに付された検出対象Ｔの真偽を判定するために用いられる装置である。燐光検出装置１００は、搬送装置８０、搬送装置８０の上方に設置された光センサ１０、並びに、搬送装置８０及び光センサ１０を制御する制御装置９０を有している。被搬送物Ｘを紙幣等の紙葉類として、燐光検出装置１００を紙葉類処理装置とすることができる。
【００３４】
図３〜図７を参照しながら光センサ１０の構造について説明する。図３は、光センサ１０の構造を示す側方断面模式図である。また、図４、図５、図６及び図７は、それぞれ、図３中のＩＩ−ＩＩ断面図、ＩＩＩ−ＩＩＩ断面図、ＩＶ−ＩＶ断面図及びＶ−Ｖ断面図である。なお、図３は光センサ１０が下向きに取り付けられる場合を示しているが、光センサ１０は任意の向きに取り付け可能である。
【００３５】
光センサ１０は、ホルダ２０、光源３０、光検出器４０、導光体５０、基板６０及び光学フィルタ７０を備えている。
【００３６】
ホルダ２０は黒色樹脂等の光を透過しない物質からなり、上下が開口した貫通孔を有し、筒状となっている。この貫通孔内には、下方側から順に、導光体５０、光学フィルタ７０、光源３０及び光検出器４０が配置されている。また、この貫通孔の上側開口は基板６０によって塞がれている。また、ホルダ２０はその一部として、光源３０と光検出器４０との間に配置される仕切り２１を有している。仕切り２１が導光体５０に接触すると、導光体５０の表面に傷をつけ、この傷によって光の漏れや減衰又は拡散を引き起こし、導光体５０の導光性能を低下させる恐れがある。そのため、仕切り２１の下端と導光体５０の表面との間にはわずかに隙間が設けられている。但し、そのような恐れがない場合は、仕切り２１を導光体５０に接触させてもよい。また、仕切り２１はホルダ２０とは別体の部材であってもよいことは勿論である。
【００３７】
光源３０は、検出対象に励起光を照射する。具体的には、光源３０は紫外線ＬＥＤであり、基板６０の下面に取り付けられている。光源３０が照射する励起光は、検出対象を励起させることができる波長が含まれており、検出する放射光の波長域を含まないものが望ましい。
【００３８】
光検出器４０は、検出対象から放射された放射光を検出する。具体的には、光検出器４０は受光した光の強度（光量）に応じて変化する信号を出力するフォトダイオードであり、基板６０の下面に取り付けられている。図７に示されるように、光センサ１０は光検出器４０を２つ備えている。これらの光検出器４０は検出できる波長域が異なる。よって、同時に２種類の放射光を検出することができる。なお、特定の波長の放射光のみを検出したり、波長に関わらず放射光の強度を検出する場合は、光検出器４０の数は１つでもよい。また、光検出器４０の数を３つ以上とすることで、同時に３種類以上の放射光を検出することも可能である。
【００３９】
導光体５０は、光源３０から照射された励起光を検出対象へ導き、検出対象から放射された放射光を光検出器４０へ導く。すなわち、導光体５０は、導光部として機能する。導光体５０は、アクリルやポリカーボネート等の透明な樹脂でできたブロックであり、その上部に、励起光入射面５１と放射光出射面５２を有し、その下部に、光入出射面５３を有する。光入出射面５３は光検出器４０の受光面よりも大きい。また、導光体５０は、励起光入射面５１と放射光出射面５２との間に起立面５４を有し、励起光入射面５１と起立面５４と放射光出射面５２によって、段差が形成されている。また、導光体５０は、励起光入射面５１及び放射光出射面５２と、光入出射面５３との間に延在する側面５５を有している。側面５５とホルダ２０の内面との間にはわずかに隙間が設けられている。なお、特に限られるわけではないが、本実施例において、導光体５０の側面５５で取り囲まれる部分の形状は、光源３０及び光検出器４０の側から見て、略正方形の光源３０側の２つの角を面取りした六角形状である。この形状によって、光源３０からの励起光を効率よく検出対象に照射することができる。また、導光体５０の素材は、透明な樹脂に限らず、透明なガラスであってもよい。なお、導光体５０の素材は、励起光と放射光を透過する材料であればよく、透明な材料には限られない。
【００４０】
光源３０と励起光入射面５１とは、光学フィルタ７０の一種であり紫外線を透過し可視光をカットする可視光カットフィルタ７１を介して対向するように配置されている。また、光検出器４０と放射光出射面５２とは、光学フィルタ７０の一種である紫外線カットフィルタ７２及びカラーフィルタ７３を介して対向するように配置されている。本実施例に係る光センサ１０のように、光検出器４０が複数個備わっている場合は、各光検出器４０に対向するカラーフィルタ７３の種類を変え、各光検出器４０がそれぞれ異なる波長（色）の光を検出できるようにすることができる。例えば、赤色、緑色、青色の放射光を検出する場合は、３つの光検出器４０と放射光出射面５２との間に、１つずつ、計３つのカラーフィルタ７３を配置する。各カラーフィルタ７３は、それぞれ赤色波長範囲、緑色波長範囲、または青色波長範囲の光を透過する。これらの光学フィルタ７０は目的に応じて他の特性のフィルタに替えてもよいし、不要であれば配置しなくてもよい。
【００４１】
図２に戻って燐光検出装置１００の説明を続ける。搬送装置８０は、所定の位置に検出対象Ｔが付された被搬送物Ｘを、矢印で示される方向に連続的に搬送する装置であり、被搬送物Ｘの形状等の特性に応じ、ベルトコンベヤやローラコンベヤ、浮上搬送装置等とすることができる。本実施例においては、搬送装置８０はベルトコンベヤである。当該ベルトコンベヤは、ベルト及び当該ベルトを駆動するプーリーを有している。当該プーリーの回転軸には、当該プーリーの回転数（回転角度）を検出するロータリーエンコーダが接続されている。また、搬送装置８０は、光センサ１０よりも上流側に、被搬送物Ｘの通過を検知する通過検知センサ（図示略）を有している。
【００４２】
燐光検出装置１００において、光センサ１０は、光源３０が搬送装置８０における被搬送物Ｘの搬送方向上流側、光検出器４０が同下流側に位置するように配置されている。また、光センサ１０は、導光体５０の光入出射面５３が、搬送装置８０上を搬送される被搬送物Ｘに付された検出対象Ｔに対向するように配置されている。
【００４３】
制御装置９０は、電源、ＣＰＵ及びメモリ等から構成されており、機能部として、搬送装置制御部９１、検出部９２、補正部９３、判別部９４及び記憶部９５を有している。
【００４４】
搬送装置制御部９１は、搬送装置８０の動作を制御する。また、搬送装置制御部９１は、通過検知センサによって被搬送物Ｘの通過が検知された後のロータリーエンコーダのパルス数に基づいて、ベルトの移動距離、すなわち、検出対象Ｔの移動距離（検出対象Ｔの存在位置に関する情報）を算出する。
【００４５】
検出部９２は、被搬送物Ｘの通過が通過検知センサによって検知された後、所定のタイミングで、光源３０に対し、励起光の照射及びその停止を指令する。また、検出部９２は、光検出器４０から送信される信号を受信して、検出された蛍光と燐光の強度を算出する。
【００４６】
補正部９３は、検出対象Ｔの存在位置に関する情報を搬送装置制御部９１から得るとともに、光検出器４０で検出された燐光の強度に関する情報を検出部９２から得る。補正部９３は、更に、後述する記憶部９５から補正係数に関する情報を得る。補正部９３はこれらの情報に基づいて検出された燐光の強度を補正する。
【００４７】
判別部９４は、検出部９２で得られた燐光の強度、又は、補正部９３で得られた補正後の燐光の強度と、記憶部９５に記憶されている基準値とを比較することによって、検出対象Ｔに含まれる物質を判別し、検出対象Ｔの真偽を判定する。また、判別部９４は、燐光の減衰時定数τを算出し、この減衰時定数τに基づいて検出対象Ｔに含まれる物質を判別し、検出対象Ｔの真偽を判定することもできる。
【００４８】
記憶部９５は、燐光強度の補正に用いられる補正係数に関する情報を記憶している。この情報は、例えば、光検出器４０と検出対象Ｔの相対位置と、補正係数との関係を示す関数又はテーブルである。
【００４９】
また、記憶部９５は、真の検出対象Ｔから放射される燐光の強度や、燐光の減衰時定数等の情報を記憶している。これらの情報は、検出対象Ｔの真偽を判定するための基礎となる。
【００５０】
（３）燐光の検出方法
燐光の検出は次のように行われる。なお、燐光は、検出対象への励起光の照射が停止された後に検出対象から放射される放射光である。検出対象から放射される燐光の強度は、励起光の照射の停止後、時間の経過とともに徐々に減衰する。
【００５１】
まず、光源３０が励起光を照射する。照射された励起光は導光体５０を透過する。導光体５０を透過した励起光は検出対象に達し、検出対象を励起する。続いて、光源３０は消灯する。すると、励起された検出対象は燐光を放射する。検出対象から放射された燐光は、導光体５０を透過する。光検出器４０は、導光体５０を透過した燐光を検出する。
【００５２】
燐光を検出した光検出器４０は、燐光の検出を知らせる信号、又は、検出した燐光の強度に応じて変化する信号を制御装置に送信する。光検出器４０から信号を受信した制御装置は、燐光の強度の算出等を行う。このようにして燐光の検出が行われる。
【００５３】
燐光の検出は、励起光の照射の停止後、速やかに開始するのが好ましい。燐光の検出時間は任意に定めることが出来るが、後述のように減衰時定数を算出する場合は、検出時間を短くするほど減衰時定数を正確に算出できる。検出する燐光の強度は、検出中に行った１回の測定の信号から算出してもよく、検出中に行った複数回の測定の信号を積分または平均して算出してもよい。
【００５４】
（４）燐光検出装置の動作
以上のように構成された燐光検出装置１００の動作フローの一例を、図８を参照しながら説明する。
【００５５】
燐光検出装置１００の動作が開始されると、搬送装置８０が被搬送物Ｘを搬送し、通過検知センサが被搬送物Ｘの通過を検知する（Ｓ１）。
【００５６】
通過検知センサによる被搬送物Ｘの通過の検知後、ロータリーエンコーダのパルス数が所定数に達すると、光源３０が点灯する（Ｓ２）。このとき、被搬送物Ｘに付された検出対象Ｔは光センサ１０の下に移動している。また、光源３０から照射された励起光は導光体５０によって検出対象Ｔに導かれ、検出対象Ｔを励起する。励起光が照射されている間、検出対象Ｔから蛍光が放射される。
【００５７】
次に、光検出器４０が蛍光を検出する（Ｓ３）。
【００５８】
光源３０の点灯開始から所定時間経過後、光源３０は消灯する（Ｓ４）。すると、検出対象Ｔからの蛍光の放射は停止する。また、検出対象Ｔからの燐光の放射が開始する。
【００５９】
続いて、光源３０の消灯後、所定のタイミングで、検出対象Ｔから放射される燐光を複数の光検出器４０それぞれが検出時期を変えて複数回検出する（Ｓ５）。
【００６０】
光検出器４０毎（放射光の色毎）に蛍光の強度と燐光の減衰特徴を検出し、それらに基づいて、検出対象Ｔに含まれている物質の判別を行うとともに、被搬送物Ｘの真偽を判定する（Ｓ６）。
【００６１】
なお、燐光検出装置１００の動作は、上述のように蛍光や燐光の検出を１回行うものには限られない。すなわち、被搬送物Ｘが通過する間に、蛍光や燐光の検出を複数回行ってもよい。また、被搬送物Ｘの検出対象Ｔが付されているべきではない位置に励起光を照射するとともに、放射光が放射されないことを確認することで被搬送物Ｘの真偽判定を行うことも可能である。更に、１つの被搬送物Ｘに対して、検出対象Ｔが付されているべき位置と、検出対象Ｔが付されているべきではない位置の両方に励起光を照射することで、被搬送物Ｘの真偽判定を行うことも可能である。この場合、検出対象Ｔが付されているべき位置から放射光が放射されるとともに、検出対象Ｔが付されているべきではない位置から放射光が放射されないことが確認されれば、被搬送物Ｘは真と判定され、それ以外の場合は、偽であると判定される。
【００６２】
（５）燐光体の判別方法
燐光検出装置１００は、ステップＳ６において、検出対象Ｔに含まれている物質のうちの燐光体が同一の波長範囲内で発光し減衰時定数の異なる複数種類の色素からなる燐光体であるか否かを判別する。
【００６３】
すなわち、ステップＳ５において検出された少なくとも３つの燐光強度とそれらの検出時期の全てについて、数式１で表される燐光強度Ｐαと時間ｔとの関係が成り立つＡαとταがない場合、検出された燐光は、互いに減衰時定数が異なる複数種類の燐光体から放射されたものであると判別される。逆に、少なくとも３つの燐光強度とそれらの検出時期の全てについて、数式１で表される燐光強度Ｐαと時間ｔとの関係が成り立つＡαとταがあれば、検出された燐光は、単一の燐光体から放射されたものであると判別される。
【００６４】
具体的な判別方法例を以下に説明する。
【００６５】
なお、ステップＳ５において少なくとも燐光強度が３回検出されるが、光検出器４０に対する検出対象Ｔの相対位置が一定である場合は、検出された燐光強度を補正する必要はなく、検出された燐光強度を用いて以下に説明する判別方法が行われる。一方、燐光を検出する度に光検出器４０に対する検出対象Ｔの相対位置が変動する又はその恐れがある場合は、検出された燐光強度は補正され、補正された燐光強度を用いて以下に説明する判別方法が行われる。よって、以下の説明において、強度という用語は、補正された強度と補正されていない強度の両方を包含する意味で使用される。
【００６６】
（５−１）判別方法の具体例１
本例の判別方法は、単一の燐光体αから放射される燐光の強度は検出時期にかかわらず図１の曲線Ｌαより示される関係を満たす、ということを利用するものである。
【００６７】
具体的には、検出部９２は、励起光の放射停止時以降、時刻ｔ１、時刻ｔ２及び時刻ｔ３が経過した時点で検出対象Ｔから放射される燐光の強度Ｐ１、強度Ｐ２及び強度Ｐ３を検出する。判別部９４は、これらの３つ強度のうちの２つ、例えば強度Ｐ１及び強度Ｐ２と、それらを検出した時刻ｔ１及び時刻ｔ２を用いて、次の数式４に基づいて、検出対象Ｔから放射される燐光の減衰時定数τ１を算出する。
【００６８】
【数４】
2018163567.tif 000006
【００６９】
このような減衰時定数τ１で表される燐光強度Ｐと励起光の消灯時から検出までに経過した時間ｔの関係は、次の数式５で表される。
【００７０】
【数５】
2018163567.tif 000007
【００７１】
数式５において、Ａは検出対象Ｔ中の燐光体の濃度や発光効率によって決まる定数である。
【００７２】
なお、定数Ａは、減衰時定数τ１を求めるために使用した燐光強度とその検出時刻（例えばＰ１とｔ１）を数式５に代入することで算出することができる。
【００７３】
判別部９４は、前記減衰時定数τ１の算出に用いられなかった強度Ｐ３及びその検出時刻ｔ３が、数式５で表される関係に当てはまるか否か、すなわち、数式５の時間ｔに時刻ｔ３を代入した場合に強度Ｐが強度Ｐ３となるか否かを判別する。当てはまる場合は、検出された燐光が単一の燐光体又は同一の減衰時定数を有する複数種類の燐光体から放射されたものであると判別部９４は判別する。
【００７４】
一方、前記減衰時定数τ１の算出に用いられなかった強度Ｐ３及びその検出時刻ｔ３が、数式５で表される関係に当てはまらない場合は、検出された燐光が互いに減衰時定数が異なる複数種類の燐光体から放射されたものであると判別部９４は判別する。
【００７５】
なお、燐光強度を４回以上検出し、その中から２つを適宜選択して減衰時定数を算出し、当該減衰時定数で表される燐光強度と時間の関係に、当該減衰時定数の算出に用いられなかった１つ以上の燐光強度及びその検出時間が当てはまるか否かを判別するようにしてもよいことは勿論である。
【００７６】
（５−２）判別方法の具体例２
本例の判別方法は、図１中の曲線Ｌα上のいずれか２点の燐光強度及びそれらの検出時期に基づいて算出される減衰時定数は、それら２点をどのように選択しようとも、燐光体αに固有の値になるということを利用するものである。
【００７７】
本例において、検出部９２は、励起光の放射停止時以降、時刻ｔ４、時刻ｔ５、時刻ｔ６及び時刻ｔ７が経過した時点で検出対象Ｔから放射される燐光の強度Ｐ４、強度Ｐ５、強度Ｐ６及び強度Ｐ７を検出する。これらの４つの強度のうちの２つの組み合わせである第１の組み合わせを、例えば強度Ｐ４と強度Ｐ５の組み合わせとすれば、判別部９４は、次の数式６に基づいて、検出対象Ｔから放射される燐光の減衰時定数τ２を算出する。
【００７８】
【数６】
2018163567.tif 000008
【００７９】
また、上記４つの強度のうちの２つの組み合わせであって、上記第１の組み合わせとは異なる組み合わせである第２の組み合わせを、例えば強度Ｐ６及び強度Ｐ７の組み合わせとすれば、判別部９４は、次の数式７に基づいて、検出対象Ｔから放射される燐光の減衰時定数τ３を算出する。
【００８０】
【数７】
2018163567.tif 000009
【００８１】
判別部９４は、減衰時定数τ２と減衰時定数τ３とを比較する。それらの差が閾値以下である場合には、判別部９４は、検出された燐光が単一の燐光体又は同一の減衰時定数を有する複数種類の燐光体から放射されたものであると判別する。（上記閾値は０であってもよい。）
【００８２】
一方、減衰時定数τ２と減衰時定数τ３との差が閾値を超える場合には、判別部９４は、検出された燐光が互いに減衰時定数が異なる複数種類の燐光体から放射されたものであると判別する。
【００８３】
なお、本例においては、燐光の強度を４回検出して燐光の判別を行っているが、燐光の強度の検出は３回でもよいことは勿論である。例えば、第１の組み合わせを強度Ｐ４とＰ５の組み合わせとするとともに、第２の組み合わせを、強度Ｐ５とＰ６の組み合わせ、又は、強度Ｐ４とＰ６の組み合わせとすることによっても、本例の方法に従って燐光の判別を行うことができる。また、燐光強度の検出回数を５回以上として、検出された燐光強度の中から３つ又は４つを適宜選択して利用することも随意である。
【００８４】
ここで、第１の組み合わせを構成する２つの燐光強度を検出するタイミングである時刻ｔ４と時刻ｔ５の間隔と、第２の組み合わせを構成する２つの燐光強度を検出するタイミングである時刻ｔ６と時刻ｔ７の間隔が等しい場合を考える。その場合、数式６及び数式７から容易に理解されるように、減衰時定数τ２と減衰時定数τ３との比較に代えて、ｌｎ（Ｐ５／Ｐ４）とｌｎ（Ｐ７／Ｐ６）、又は（Ｐ５／Ｐ４）と（Ｐ７／Ｐ６）を比較することによって、検出された燐光の判別を行うことができる。その場合、燐光の判別を行うために制御装置９０のＣＰＵが行う除算の回数を減らすことができるので、短時間で燐光の判別を行うことができる。
【００８５】
（５−３）判別方法の具体例３
本例の判別方法は、図１のグラフを、図９に示されるような縦軸が常用対数の片対数グラフに変換した場合、曲線Ｌαが右下がりの直線で表される一方、曲線Ｌγ＋δは、時刻ｔｘでＬαと交差する右下がりの曲線で表される、ということを利用するものである。
【００８６】
具体的には、検出部９２は、時刻ｔ８、時刻ｔ９及び時刻ｔ１０が経過した時点で検出対象Ｔから放射される燐光の強度Ｐ８、強度Ｐ９及び強度Ｐ１０を検出する。これらの３つの強度のうちの２つの組み合わせである第１の組み合わせを、例えば強度Ｐ８と強度Ｐ９の組み合わせとする。この場合、判別部９４は、次の数式８に基づいて、燐光強度の対数値の第１の変化速度（単位時間あたりの第１の変化量）Ｒ１を算出する。
【００８７】
【数８】
2018163567.tif 000010
【００８８】
また、上記３つの強度のうちの２つの組み合わせである第２の組み合わせを、例えば強度Ｐ９及び強度Ｐ１０の組み合わせとする。この場合、判別部９４は、次の数式９に基づいて、燐光強度の対数値の第２の変化速度（単位時間あたりの第２の変化量）Ｒ２を算出する。なお、第２の組み合わせは、第１の組み合わせとは異なる組み合わせである。
【００８９】
【数９】
2018163567.tif 000011
【００９０】
判別部９４は、第１の変化速度Ｒ１と第２の変化速度Ｒ２とを比較する。それらの差が閾値以下である場合、判別部９４は、検出された燐光が単一の燐光体又は同一の減衰時定数を有する複数種類の燐光体から放射されたものであると判別する。（上記閾値は０であってもよい。）
【００９１】
一方、第１の変化速度Ｒ１と第２の変化速度Ｒ２との差が閾値を超える場合は、判別部９４は、検出された燐光が互いに減衰時定数が異なる複数種類の燐光体から放射されたものであると判別する。
【００９２】
ここで、第１の組み合わせを構成する２つの燐光強度を検出するタイミングである時刻ｔ８と時刻ｔ９の間隔と、第２の組み合わせを構成する２つの燐光強度を検出するタイミングである時刻ｔ９と時刻ｔ１０の間隔が等しい場合を考える。その場合、数式８及び数式９から容易に理解されるように、第１の変化速度Ｒ１と第２の変化速度Ｒ２との比較に代えて、ｌｏｇＰ９とｌｏｇＰ８との差と、ｌｏｇＰ１０とｌｏｇＰ９との差を比較することによって、検出された燐光の判別を行うことができる。その場合、燐光の判別を行うために制御装置９０のＣＰＵが行う除算の回数を減らすことができるので、短時間で燐光の判別を行うことができる。
【００９３】
なお、本例においては、第２の組み合わせをＰ８とＰ１０の組み合わせとしてもよいことは勿論である。また、時刻ｔ１１において燐光強度Ｐ１１を検出し、第１の組み合わせをＰ８とＰ９の組み合わせとするとともに第２の組み合わせをＰ１０とＰ１１の組み合わせとしてもよい。更に、燐光検出回数を５回以上として、検出された燐光強度の中から３つ又は４つを適宜選択して利用することも随意である。
【００９４】
また、燐光検出装置１００は、燐光強度を検出時期を変えて３回検出すれば、燐光の判別ができるので、処理すべきデータ量が少ない。すなわち、燐光検出装置１００は、データ処理、ひいては燐光の判別を短時間で行うことができる。よって、燐光検出装置１００は、短時間で大量の検出対象Ｔの真偽識別処理を行うことができる。
【００９５】
また、燐光検出装置１００は、複数回の燐光強度の検出を単一の光センサ１０によって行うので、複数回の燐光検出の時間間隔を小さくすることができる。よって、検出対象Ｔに含まれる燐光体の減衰時定数が小さい（燐光が短時間で減衰する）場合であっても、検出限界以下となる前の燐光強度を複数回検出することができる。したがって、検出対象Ｔに含まれる燐光体の減衰時定数が小さくても、検出対象Ｔの真偽識別処理を行うことができる。
【００９６】
更に、燐光検出装置１００は、複数回の燐光強度の検出を単一の光センサ１０によって行うので、検出対象Ｔに含まれる燐光体から放射される燐光の減衰時定数に応じて、燐光検出タイミングを柔軟に設定することができる。
【００９７】
（６）検出対象の真偽判別方法
被搬送物Ｘに付された検出対象Ｔ（セキュリティ特徴）の真偽判定は、例えば次のように行われる。
【００９８】
まず、光検出器４０毎に燐光の放射の有無を確認する。燐光が放射されている場合は、その減衰時定数を算出する。更に、上に説明した方法に従い、当該燐光が互いに減衰時定数が異なる複数種類の燐光体から放射されたものであるか否かを判別する。これらの結果を基準となる属性と比較する。比較の結果、両者が一致すれば、その検出対象Ｔは真であると判別される。両者が一致しなければ、その検出対象Ｔは偽であると判別される。
【００９９】
基準となる属性の例を表１に示す。
【０１００】
【表１】
2018163567.tif 000012
【０１０１】
表１において、横軸は検出される燐光の波長範囲を表す。すなわち、横軸は、燐光が赤色波長範囲、緑色波長範囲、青色波長範囲の波長範囲毎に区分されることを意味する。縦軸は検出される燐光の減衰特徴を表す。すなわち、縦軸は、燐光の減衰時定数が０．２ｍｓｅｃ、１ｍｓｅｃ、１０ｍｓｅｃに区分されることを意味する。「single」は、該当する燐光が、単一の燐光体又は同一の減衰時定数を有する複数種類の燐光体から放射されることを意味する。「complex」は、該当する燐光が互いに減衰時定数が異なる複数種類の燐光体から放射されることを意味する。また、「none」は燐光が検出されないことを意味する。
【０１０２】
基準となる属性が表１に示される属性である場合、真の検出対象Ｔには、減衰時定数が０．２ｍｓｅｃであり、且つ、色が青色である燐光を放射する単一の又は複数種類の燐光体が含まれている。また、減衰時定数が１ｍｓｅｃであり、且つ、色が赤色である燐光を放射する単一の又は複数種類の燐光体が含まれている。また、減衰時定数が互いに異なり、且つ、色がいずれも緑色である燐光を放射する複数種類の燐光体であって、所定のタイミングで検出された緑色の燐光の全強度に基づいて算出された減衰時定数が１ｍｓｅｃとなる燐光体が含まれている。
【０１０３】
この場合、検出対象Ｔの真偽判定は次のように行われる。まず、３つの光検出器４０を介して、検出部９２は赤色、緑色及び青色の燐光を個別に検出する。続いて、判別部９４は各色の燐光の減衰時定数を算出する。更に、各色の燐光が互いに減衰時定数が異なる複数種類の燐光体から放射されたものであるか否か（「complex」であるか「single」であるか）を、判別部９４は判別する。判別部９４は記憶部９５に記憶されている表１に係る情報を参照し、各色毎に求めた燐光の減衰時定数や判別結果と比較する。その結果、ある検出対象Ｔから放射された燐光が有する属性が、表１に示される属性と一致すれば、その検出対象Ｔは真であると判別される。逆に、表１に示される燐光の属性と一致しなければ、その検出対象Ｔは偽であると判別される。
【０１０４】
なお、互いに減衰時定数が異なる複数種類の燐光体から燐光が放射される場合、当該燐光体から放射される燐光の全強度の減衰時定数は、基準となる属性に含まれるいずれの減衰時定数に対応しているのかを知るための手がかりに過ぎない。よって、おおよその値が算出されれば十分であり、例えば次のようにして求めることができる。すなわち、検出部９２毎に検出可能な波長範囲内で検出した３つ以上の強度のうちのいずれか２つの組み合わせとそれらの検出時期に基づいて、第１の仮の減衰時定数を算出する。次に、検出した３つ以上の強度のうちのいずれか２つの組み合わせであって、先の組み合わせとは異なる組み合わせとそれらの検出時期に基づいて、第２の仮の減衰時定数を算出する。続いて、第１の仮の減衰時定数と第２の仮の減衰時定数の平均値を求め、これを全強度の減衰時定数とする。また、第１の仮の減衰時定数をそのまま全強度の減衰時定数としてもよい。
【０１０５】
このように、燐光が互いに減衰時定数が異なる複数種類の燐光体から放射されたものであるか否かを特徴として、検出対象Ｔ（セキュリティ特徴）の真偽、ひいては、紙葉類等の被搬送物Ｘの真偽を判別することができる。
【０１０６】
なお、ここでは燐光の特徴のみを検出対象Ｔの特徴とする例を示したが、検出した蛍光の特徴を更に加えて検出対象Ｔの特徴とすることができる。具体的には、表１において、赤色波長範囲、緑色波長範囲、青色波長範囲の波長範囲毎に、蛍光の検出の有無を特徴として追加することができる。
【０１０７】
本発明の燐光検出装置及び燐光検出方法は、例えば銀行券や証券等の有価書類(value document)に代表される、紙葉類の表面にセキュリティ特徴(security feature)として取り付けられた燐光体を検出するもので、検出対象となる燐光体に励起光を照射し、燐光体から放射された燐光を検出する。燐光のスペクトルや減衰特徴などの特徴は燐光体の組成によって決まるので、燐光を検出して特徴を比較することによってセキュリティ特徴の真偽を判定することが出来る。
【０１０８】
以上本発明の実施例について説明したが、本発明は上記実施例に限定されるものではなく、本発明の趣旨を逸脱しない範囲で種々の変更が可能である。
【０１０９】
例えば、燐光検出装置１００は、被搬送物Ｘの搬送経路上で搬送方向に間隔を空けて配置された３つ以上の光センサを有し、各光センサで１回ずつ、計３回以上の燐光強度の検出をおこなってもよい。３回以上にわたって検出された各強度Ｐ及びそれらの検出時期ｔｎを用いて、上述の判定を行うことができる。この場合、検出対象Ｔに含まれる燐光体の減衰時定数が大きく（燐光の減衰に長時間を要し）、且つ、搬送装置８０の搬送速度が大きくても、有意に強度が小さくなった燐光を下流側の光センサで検出することができる。よって、検出対象Ｔに含まれる燐光体の減衰時定数が大きい場合にも、被搬送物Ｘを搬送しながら、大量の検出対象Ｔの真偽識別処理を行うことができる。
【産業上の利用可能性】
【０１１０】
本発明は、燐光体を含むセキュリティマークが付された紙幣等の紙葉類や商品の真偽を識別するための装置、例えば紙幣処理装置に適用することができるので、その産業上の利用可能性は多大である。
【符号の説明】
【０１１１】
１０  光センサ
２０  ホルダ
３０  光源
４０  光検出器
５０  導光体
５１  励起光入射面
５２  放射光出射面
５３  光入出射面
５４  起立面
５５  側面
６０  基板
７０  光学フィルタ
７１  可視光カットフィルタ
７２  紫外線カットフィルタ
７３  カラーフィルタ
８０  搬送装置
９０  制御装置
９１  搬送装置制御部
９２  検出部
９３  補正部
９４  判別部
９５  記憶部
１００  燐光検出装置
【図１】
2018163567.tif 000013
【図２】
2018163567.tif 000014
【図３】
2018163567.tif 000015
【図４】
2018163567.tif 000016
【図５】
2018163567.tif 000017
【図６】
2018163567.tif 000018
【図７】
2018163567.tif 000019
【図８】
2018163567.tif 000020
【図９】
2018163567.tif 000021